(57)【要約】【課題】着用した靴下等の筒状体のずり現象を確実に防止でき、装着が容易で且つ着用した筒状体内に位置するずり防止具を提供する。【解決手段】着用された筒状体が接する人体部分の肌に刺激を与えることなく接着できる接着層１８が一面側に形成されている不織布１２と、不織布１２の他面側に設けられ、不織布１２が接着された人体部分に筒状体が着用されたとき、前記筒状体の内側面と接触して、前記筒状体のずり落ち又はずり上がりを防止する両面テープ１４とを具備することを特徴とする。【選択図】図２
0003125719.tif 000002
【実用新案登録請求の範囲】
【請求項１】
着用された筒状体が接する人体部分の肌に刺激を与えることなく接着できる接着層が一面側に形成されている可撓性を有する布帛と、
前記布帛の他面側に設けられ、前記布帛が接着された人体部分に筒状体が着用されたとき、前記筒状体の内側面と接触して、前記筒状体のずり落ち又はずり上がりを防止するずり止め材とを具備することを特徴とするずり防止具。
【請求項２】
布帛が、不織布である請求項１記載のずり防止具。
【請求項３】
ずり止め材が、布帛よりも小面積であって、テープの両面側に接着層が形成された両面テープである請求項１又は請求項２記載のずり防止具。
【請求項４】
両面テープが、テープの一面側の接着層によって布帛の他面側に接着されていると共に、前記テープの他面側の接着層が剥離テープによって覆われている請求項３記載のずり防止具。
【請求項５】
ずり止め材が、布帛よりも小面積の面ファスナーである請求項１又は請求項２記載のずり防止具。
【請求項６】
面ファスナーが、その一面側に形成されたファスナー面が布帛と係止されていると共に、着用した筒状体の内側面と接触する前記面ファスナーの他面側が、前記筒状体のずり止めができるように凹凸面に形成されている請求項５記載のずり防止具。
【請求項７】
布帛の一面側に形成された接着層が、湿布剤が含有されている接着層である請求項１〜６のいずれか一項記載のずり防止具。
【請求項８】
布帛の一面側に形成された接着層のｐＨが５〜７である請求項１〜６のいずれか一項記載のずり防止具。
【請求項９】
筒状体が、靴下、サポータ又は腹巻である請求項１〜７のいずれか一項記載のずり防止具。
【請求項１０】
ずり防止具が、使い捨て可能のものである請求項１〜８のいずれか一項記載のずり防止具。
【考案の詳細な説明】
【技術分野】
【０００１】
本発明はずり防止具に関し、更に詳細には人体に着用した靴下やサポータ等の筒状体のずり落ちやずり上がりを防止できるずり防止具に関する。
【背景技術】
【０００２】
靴下やサポータを着用して歩いたり運動すると、靴下は下方にずり落ちたりするずり現象が発生することがあり、サポータもずり落ちやずり上がったりするずり現象が発生することがある。かかるずり現象が発生した靴下やサポータは、見苦しいばかりか、歩行や運動の妨げとなることがある。
かかる靴下のずり防止のため、下記特許文献１には、図３に示すベルトタイプの靴下のずり防止具１００が提案されている。このずり防止具１００には、図３（ａ）（ｂ）に示す様に、足の膝部の直下に輪状にして着用するベルト１０２から吊り下げられた二本の吊り下げ帯１０４，１０４の各先端に止め具１０６が設けられている。
このずり防止具１００は、図３（ａ）に示す様に、ベルト１０２を輪状にして足の膝部の直下に着用した後、二本の吊り下げ帯１０４，１０４の各先端に設けられている止め具１０６を、着用した靴下の上部に係止する。
また、サポータのずり落ち又はずり上がりのずり現象には、下記特許文献２に、図４に示すゴムベルト２００が提案されている。このゴムベルト２００は、図４に示す様に、着用したサポータの上部から巻き付ける。
【特許文献１】実開平７−６２３５号公報
【特許文献２】登録実用新案第３０５６５２７号公報
【考案の開示】
【考案が解決しようとする課題】
【０００３】
図３に示すベルトタイプの靴下のずり防止具１００及び図４に示すゴムベルト２００では、靴下のずり落ちやサポータのずり落ちやずり上がりを防止できる。
しかし、図３に示す靴下のずり防止具１００は、足の所定箇所に装着しなければならず、その装着も面倒である。この靴下のずり防止具１００を装着した場合には、ズボンを着用することが外見上必要となる。
また、図４に示すゴムベルト２００も、その装着が面倒であり、外観上からズボンを着用することが必要である。
そこで、本発明の課題は、着用した靴下等の筒状体のずり現象を確実に防止でき、装着が容易で且つ着用した筒状体内に位置するずり防止具を提供することにある。
【課題を解決するための手段】
【０００４】
本考案者は、前記課題を達成すべく、先ず、靴下を履いたとき、靴下の入口部に相当する足の肌に一面側を直接接着した両面テープの他面を、靴下の内側面に接着することを試みた。この両面テープによれば、靴下の入口部のずり落ちを防止でき、靴下の外側から両面テープは見えず、見栄えも良好である。
しかしながら、両面テープの一面を直接人の足に貼ると、両面テープを貼った足の肌が赤く腫れたり痒みを伴ったりすることがあることを知った。
このため、本考案者は、肌に刺激を与えることなく接着できる接着層を一面側に形成した不織布の他面側に、両面テープの一面を接着したずり防止具によれば、両面テープの一面側を直接人の足に貼ることなく靴下のずれ落ちを図ることができることを見出し、本考案に到達した。
すなわち、本考案は、着用された筒状体が接する人体部分の肌に刺激を与えることなく接着できる接着層が一面側に形成されている可撓性を有する布帛と、前記布帛の他面側に設けられ、前記布帛が接着された人体部分に筒状体が着用されたとき、前記筒状体の内側面と接触して、前記筒状体のずり落ち又はずり上がりを防止するずり止め材とを具備することを特徴とするずり防止具にある。
【０００５】
かかる本発明において、布帛として、可撓性及び通気性等の観点から不織布を好適に採用できる。かかる布帛の他面側に設けられるずり止め材としては、布帛よりも小面積であって、テープの両面側に接着層が形成された両面テープを用いることができる。
この両面テープは、テープの一面側の接着層によって布帛の他面側に接着し、前記テープの他面側の接着層を剥離テープによって覆うことによって、ずり防止具の包装や搬送等の取扱性を向上できる。
また、ずり止め材としては、布帛よりも小面積の面ファスナーを用いることができる。この面ファスナーは、その一面側のファスナー面を布帛と係止し、着用した筒状体の内側面と接触する前記面ファスナーの他面側を、前記筒状体のずり止めができるように凹凸面に形成することによって、ずり防止具の取扱性を保持しつつ、筒状体のずり止めを図るずり防止機能を充分に発揮できる。
更に、布帛の一面側に形成した接着層を、湿布剤が含有されている接着層とすることによって、例えば運動や仕事で疲れた筋肉等を湿布する機能も奏することができる。この接着層としては、接着した際に、肌への刺激を与えないように、ｐＨを５〜７に調製した接着層を好適に用いることができる。
尚、筒状体としては、靴下、サポータ又は腹巻を好適に用いることができ、ずり防止具としては、使い捨て可能のものであることが使い勝手がよい。
【考案の効果】
【０００６】
本考案に係るずり防止具によれば、靴下やサポータ等の筒状体を着用する人体部分の肌に、布帛の一面側に形成した接着層によってずり防止具を接着固定した後、着用した筒状体の内側面を、布帛の他面側に設けたずり止め材に接触させることによって、着用した筒状体のずり落ちやずり上がりを容易に防止できる。
また、本考案に係るずり防止具の布帛の一面側に形成した接着層は、肌に刺激を与えることなく接着できる接着層であるため、ずり防止具を接着固定した部分の肌が赤く腫れたり痒みを伴ったりすることを可及的に抑制できる。
更に、本考案に係るずり防止具は、その使用中には、筒状体に隠れて外から見えないため、筒状体を覆う服を着用していなくても見栄えも良好である。
【考案を実施するための最良の形態】
【０００７】
本考案に係るずり防止具の一例を図１に示す。図１に示すずり防止具１０では、布帛として、可撓性と通気性とを有する不織布１２を用いている。この不織布１２は矩形状に成形されている。
不織布１２の他面側には、図１のずり防止具１０の拡大断面図である図２に示す様に、接着層１６が形成されている。この接着層１６の表面は、剥離用フィルム１８によって覆われており、ずり防止具１０の包装や搬送等の取扱性を向上している。
かかる接着層１６は、人体の肌に接着されるため、肌に刺激を与えることなく接着できる接着層であることが必要である。この接着層としては、そのｐＨを５〜７に調整することによって、肌への刺激を可及的に少なくでき好ましい。
また、接着層１６に湿布剤（例えばサリチル酸メチル）を含有されている接着層であることによって、運動や仕事で疲れた筋肉等を湿布する機能も併せ奏することができる。
この様な接着層１６は、例えば特開２００３−２８４７３９号公報に掲載されている様に、種々の添加剤を添加してもよい。
【０００８】
かかる不織布１２の一面側には、図１に示す様に、ずり止め材としての両面テープ１４が設けられている。この両面テープ１４は、不織布１２よりも小面積であって、テープ２０の両面側に接着層２２，２２が形成されている。
かかる両面テープ１４は、テープ２０の一面側に形成された接着層２２によって、不織布１２の一面側に接着固定されている。
このテープ２０の他面側に形成された接着層２２の表面には、剥離テープ２４によって覆われている。ずり防止具１０の包装や搬送等の取扱性を向上している。
【０００９】
図１及び図２に示すずり防止具１０を靴下用として用いる際には、先ず、剥離用フィルム１８を剥離して接着層１６の表面を露出させた後、靴下の入口部近傍となる足の部分の肌に接着層１６を接着させる。接着層１６は、肌に刺激を与えることなく接着できる接着層であるため、接着層１６を接着した部分の肌が赤く腫れたり痒みを伴ったりすることを回避できる。
次いで、両面テープ１４の剥離テープ２４を剥離し、テープ２０の他面側に形成された接着層２２の表面を露出し、その後、靴下を着用する。
靴下を着用したとき、靴下の入口部近傍の内側面は、両面テープ１４の接着層２２の表面に接着されて、靴下のずり落ちを防止できる。
このずり防止具１０の全体が、着用する靴下の内側に隠れる位置に接着されていると、靴下を着用したとき、ずり防止具１０が靴下の外側から見えず、見栄えも良好である。
この様に着用した靴下を脱ぐ際には、両面テープ１４の接着層２２に接着されている靴下部分を剥して、靴下を脱ぐことができる。かかる両面テープ１４の接着層２２と靴下部分との剥離は容易に行うことができる。
靴下のずり落ち防止は、左右の各足に１個のずり防止具１０を用いることで足りるが、左右の各足に２個のずり防止具１０を用いると、確実に靴下のずり落ち防止を図ることができる。この使用済のずり防止具１０は、燃えるゴミとして使い捨てることができる。
尚、図１及び図２に示すずり防止具１０は、靴下の他に、サポータや腹巻等の筒状体のずり落ち又はずり上がりの防止に用いることができる。
【００１０】
以上の説明では、不織布１２の一面側に、ずり止め材としての両面テープ１４が設けられているが、両面テープ１４に代えて不織布１２よりも小面積の面ファスナーを用いることができる。
この面ファスナーをずり止め材として用いる場合には、ファスナー面が一面側に形成されていると共に、他面側が凹凸面に形成された片面ファスナーを好適に用いることができる。
かかる片面ファスナーは、その一面側に形成されたファスナー面を布帛としての不織布１２の一面側に係止し、片面ファスナーの凹凸面が、着用した靴下、サポータ又は腹巻等の筒状体の内側面と接触して、筒状体のずり止めを防止している。
また、不織布１２に代えて、可撓性と通気性とを有する織物や編物を用いることができ、可撓性と通気性とを有するフィルム、例えば多孔質フィルムも用いることができる。
更に、ずり止め材として用いた両面テープ１４や面ファスナーを、布帛としての不織布１２よりも小面積のものを用いたが、不織布１２と同一面積の両面テープ１４や面ファスナーをずり止め材として用いることができる。
【図面の簡単な説明】
【００１１】
【図１】本考案に係るずり防止具の一例を説明するための正面図である。
【図２】図１に示すずり防止具の縦断面図である。
【図３】従来の靴下用のずり防止具の一例を示す斜視図である。
【図４】従来のサポータ用のずり防止具の他の一例を示す斜視図である。
【符号の説明】
【００１２】
１０  ずり防止具
１２  不織布
１４  両面テープ
１６  接着層
１８  剥離用フィルム
２０  テープ
２２  接着層
２４  剥離テープ
【図１】
0003125719.tif 000003
【図２】
0003125719.tif 000004
【図３】
0003125719.tif 000005
【図４】
0003125719.tif 000006